(57)【特許請求の範囲】
【請求項１】
一方の本体に形成された軸挿通部と他方の本体に形成された軸挿入部とを連結し、かつ一方の本体と他方の本体とを互いに開閉させるヒンジ機構であって、
外周部に軸方向に沿い先端部に突起を有する突条部が頭部から先端部に向かって所要長さに亘って形成されると共に前記先端部の端面から所要深さ開口されてなり、一方の本体の軸挿通部から他方の本体の軸挿入部に差し込まれるヒンジピンと、
前記ヒンジピンの先端部に軸周りに回転可能に装着され、かつその外周部に、他方の本体の軸挿入部内に突設された係合リブと係合するスリットを設けて他方の本体の軸挿入部に嵌合された筒状体と、
前記ヒンジピンとこれに装着された前記筒状体の内部に縮設された押し出しばねと、
前記軸挿通部の挿通孔の軸方向の途中位置に周方向に沿って突設され、前記ヒンジピンの突条部の位置まで張り出し、かつ突起を前記軸挿通部内で係止させる規制突起と、その規制突起に連設され、かつヒンジピンの外周面まで張り出す角度規制壁とからなり、一方の本体の軸挿通部内に、前記ヒンジピンを取り付け方向に回転したとき、前記突条部の突起を係止させる係止ストッパーと、
他方の本体の軸挿入部内に突設され、前記筒状体に嵌合しかつ前記押し出しばねを一方の本体の外方に押圧させる嵌合ボスと
を備えてなることを特徴とするヒンジ機構。
【請求項２】
請求項１において、前記ヒンジピンの先端面に爪が形成されると共に、前記筒状体の前記ヒンジピン寄りの一端面に爪と係合する係合爪が形成され、さらに前記係合爪と前記爪との何れか一方に凸部が設けられると共に、その他方に凸部と嵌合される凹部が設けられていることを特徴とするヒンジ機構。
【請求項３】
請求項１または２において、前記ヒンジピンは、その頭部に、工具によって前記ヒンジピンを取り出すための工具用切り欠きを設けていることを特徴とするヒンジ機構。
【請求項４】
請求項１〜３記載の何れか1項記載のヒンジ機構を備えたことを特徴とする携帯電話。
【請求項５】
請求項１〜３記載の何れか1項記載のヒンジ機構を備えたことを特徴とする開閉装置。
【発明の詳細な説明】
【０００１】
【発明の属する技術分野】
本発明は、ヒンジ機構と、そのヒンジ機構を有する携帯電話及び開閉装置に関するものである。
【０００２】
【従来の技術】
例えば、近年普及しつつある携帯電話にあっては、二つ折りに構成されたものがある。このような携帯電話は、使用しないときは、折り畳んだ状態にあり、使用時には、一方の本体に対し他方の本体を開くことによって送受信できるようになっている。そして、この折り畳みできる携帯電話は、一方の本体と他方の本体との間にヒンジ機構を設けて構成されている。
【０００３】
従来のヒンジ機構は、一方の本体の軸挿通部と他方の本体の挿入部とを連結するヒンジピンを有している。ヒンジピンは、一方の本体の軸挿通部を介して他方の本体の軸挿入部に差し込んだとき、ヒンジピンの先端に設けられた爪部が他方の本体の挿入部に設けられている嵌合部に嵌合することにより、一方の本体と他方の本体とがヒンジピンを中心として、互いに開閉できるようになっている。
【０００４】
【発明が解決しようとする課題】
上記に示すヒンジ機構は、上記の如く、一方の本体の軸挿通部及び他方の本体の軸挿入部にヒンジピンを差し込むことによって双方の本体を互いに開閉できるようになっている。
しかしながら、ヒンジピンを他方の本体の軸挿入部に差し込んだとき、ヒンジピンの爪部が軸挿入部の嵌合部に嵌め殺し状態で嵌合するようになっているので、双方の本体を組み付ける場合には問題ないものの、ヒンジピンを本体から取り外そうとすると、ヒンジピンの爪が破損したりする結果、ヒンジピンを再び使用することができなくなるばかりでなく、本体までも再使用することができなくなったりするおそれがあった。
【０００５】
本発明は、上記従来技術の問題点に鑑み、ヒンジピンを双方の本体に組み付けることができるばかりでなく、簡単かつ確実に取り外すこともでき、以て構成部品をリサイクルすることができるヒンジ機構を提供するのを課題とし、また上記ヒンジ機構を有する携帯電話及び開閉装置を提供するのを課題とする。
【０００６】
【課題を解決するための手段】
上記課題を解決するために本発明においては、以下の手段を採用した。請求項１記載の本発明では、一方の本体に形成された軸挿通部と他方の本体に形成された軸挿入部とを連結し、かつ一方の本体と他方の本体とを互いに開閉させるヒンジ機構であって、外周部に軸方向に沿い先端部に突起を有する突条部が頭部から先端部に向かって所要長さに亘って形成されると共に前記先端部の端面から所要深さ開口されてなり、一方の本体の軸挿通部から他方の本体の軸挿入部に差し込まれるヒンジピンと、前記ヒンジピンの先端部に軸周りに回転可能に装着され、かつその外周部に、他方の本体の軸挿入部内に突設された係合リブと係合するスリットを設けて他方の本体の軸挿入部に嵌合された筒状体と、前記ヒンジピンとこれに装着された前記筒状体の内部に縮設された押し出しばねと、前記軸挿通部の挿通孔の軸方向の途中位置に周方向に沿って突設され、前記ヒンジピンの突条部の位置まで張り出し、かつ突起を前記軸挿通部内で係止させる規制突起と、その規制突起に連設され、かつヒンジピンの外周面まで張り出す角度規制壁とからなり、一方の本体の軸挿通部内に、前記ヒンジピンを取り付け方向に回転したとき、前記突条部の突起を係止させる係止ストッパーと、他方の本体の軸挿入部内に突設され、前記筒状体に嵌合しかつ前記押し出しばねを一方の本体の外方に押圧させる嵌合ボスとを備えてなることを特徴とする。
請求項２にかかるヒンジ機構は、請求項１において、前記ヒンジピンの先端面に爪が形成されると共に、前記筒状体の前記ヒンジピン寄りの一端面に爪と係合する係合爪が形成され、さらに前記係合爪と前記爪との何れか一方に凸部が設けられると共に、その他方に凸部と嵌合される凹部が設けられていることを特徴とする。
請求項３にかかるヒンジ機構は、請求項１または２において、前記ヒンジピンは、その頭部に、工具によって前記ヒンジピンを取り出すための工具用切り欠きを設けていることを特徴とするヒンジ機構。
請求項４にかかる携帯電話は、請求項１〜３記載の何れか1項記載のヒンジ機構を備えたことを特徴とする。
請求項５にかかる開閉装置は、請求項１〜３記載の何れか1項記載のヒンジ機構を備えたことを特徴とする。
【００１４】
【発明の実施の形態】
以下、本発明の実施の形態を図１〜図８に基づいて説明する。図１〜図６は本発明によるヒンジ機構を携帯電話に適用した一実施形態を示している。
この発明のヒンジ機構を述べる前に、開閉可能に構成された携帯電話について述べると、この携帯電話は、図１に示すように、第一本体としての表示側筐体１と、第二本体としての入力側筐体２とを備えている。
【００１５】
表示側筐体１は、その内面に例えば液晶板からなる表示部３を装着している。この表示部３は、表示側筐体１の内面に設けられた表示窓４に取り付けられており、通常では時刻が表示されたり、あるいはユーザによって選定された画像等が表示され、送受話時には相手先の番号やその経過時間などが表示されるようになっている。
入力側筐体２は、その内面に複数個の釦キー５が配設されている。各釦キー５は、入力側筐体２の内面に配設されたキー窓６にそれぞれ取り付けられ、釦キー５が操作されることによって所望の機能が得られるようになっている。
なお、図１では図示していないが、表示側筐体１には受信した音声信号を出力するため、スピーカからなる音声出力部が設けられる一方、入力側筐体２の内面に音声を取り込むためマイクロフォンからなる音声入力部が取り付けられている。
【００１６】
本実施形態のヒンジ機構１０は、図１及び図３に示すように、表示側筐体１の一端部に筒状に形成された軸挿通部７が突設されると共に、入力側筐体２の一端部に一端が閉塞された筒状の軸挿入部８が突設されている。そして、表示側筐体１の軸挿通部７と、これと間隔を設けて突設された円柱部７′との間に入力側筐体２の軸挿入部８が挿入して配置されたとき、軸挿通部７，軸挿入部８間が後述するヒンジピン１１によって連結されることにより、ヒンジピン１１を中心として表示側筐体１と入力側筐体２とが互いに開閉できるようになっている。
なお、図１において、表示側筐体１の一方の軸挿入部８（左側）と、他方の軸挿入部８（右側）とは軸方向の長さが異なっているが、基本的には左右対称に同様の形状に構成されている。
【００１７】
ヒンジピン１１は、表示側筐体１の軸挿通部７及び入力側筐体２の軸挿入部８に挿入するためのものであって、図２及び図３に示すように、筒状に形成されており、その一端部にヒンジピン１１（図２のみ）より大きい径をもって周囲外方に膨出する頭部１１ａが形成されている。
【００１８】
また、頭部１１ａの内面部には図２及び図４に示すように、ヒンジピン１１の外周部上に軸方向に沿い突条部１１ｂが形成されている。この突条部１１ｂは、頭部１１ａの内面部においてその頭部１１ａの径寸法より小さい高さをなすと共に適宜の幅寸法をもつ矩形状に形成され、しかもヒンジピン１１の軸方向の長さより短い長さで軸方向に沿って形成されている。また、突条部１１ｂの先端部には突起１１ｃが設けられている。このような突条部１１ｂは、図２では一個しか表示されていないが、図４に示す如く、ヒンジピン１１の外周部に１８０゜の間隔をもって二個配設されている。
【００１９】
さらに、ヒンジピン１１の先端部には、入力側筐体２の軸挿入部８に嵌合する筒状体１２が装着されている。この筒状体１２は、図４に示すように、ヒンジピン１１と略同径の筒状をなしており、ヒンジピン１１寄りの一端面に係合爪１２ａが突設され、この係合爪１２ａがヒンジピン１１の先端面に形成された爪１１ｄと係合することにより、ヒンジピン１１の先端部に装着されるようになっている。その際、筒状体１２は、ヒンジピン１１に対し軸周りに回転できるように装着されている。そのため、係合爪１２ａと爪１１ｄとは、ヒンジピン１１に対し筒状体１２が回転可能な状態で係合するようになっている。
【００２０】
また、ヒンジピン１１の他端側の内面部にはばね引掛部１２ｂが内方に向かって突設されている。そして、ヒンジピン１１に筒状体１２を装着するに際し、ヒンジピン１１内に先端側から押し出しばね１３を入れておいた後、筒状体１２の係合爪１２ａをヒンジピン１１の爪１１ｄと係合させて、ヒンジピン１１の先端部に筒状体１２を装着することにより、押し出しばね１３がヒンジピン１１の頭部１１ａの内面と筒状体１２のばね引掛部１２ｂとの間に縮設されるようになっている。
つまり、筒状体１２は、ヒンジピン１１に装着されることにより、ヒンジピン１１内に押し出しばね１３を縮設した状態で内蔵させるようになっている。押し出しばね１３は、ヒンジピン１１及び筒状体１２の内部に挿入し得る大きさのコイル式の圧縮ばねからなっている。
【００２１】
さらに、筒状体１２の外周部には、図２に示すように、その一部が外面部から内面部に渡る深さで、しかも軸方向に沿って切り除いて形成されたスリット１２ｃが形成され、スリット１２ｃが軸挿入部８の後述する係合リブ８ｂと係合するようになっている。
【００２２】
一方、表示側筐体１の軸挿通部７は、ヒンジピン１１の頭部１１ａと同程度の径を有する大きさの筒状に形成されており、その内部にヒンジピン１１を挿通するための挿通孔７ａが形成されていると共に、挿通孔７ａの軸方向の途中位置に周方向に沿って突設され、かつヒンジピン１１の突条部１１ｂ及び突起１１ｃを係止できる係止ストッパー７ｂが形成されている。係止ストッパー７ｂは、軸挿通部７の挿通孔７ａにおいて、その内周部に図５及び図６（ｂ）に示すように、突条部１１ｂの位置まで張り出して突出し、突起１１ｃを係止するための規制突起７ｃと、この規制突起７ｃの末端位置に連設され、かつ図５及び図６（ｃ）に示すように、ヒンジピン１１の外周面まで張り出して突出する角度規制壁７ｄとからなっている。
【００２３】
そして、軸挿通部７にヒンジピン１１を挿入するに際し、ヒンジピン１１の突条部１１ｂ及び突起１１ｃを軸挿通部７の挿通孔７ａに一致させ、その状態で挿通孔７ａに沿いヒンジピン１１を挿入し、突条部１１ｂの突起１１ｃが係止ストッパー７ｂの規制突起７ｃを通過した時点で、ヒンジピン１１を図５に示す矢印の如く時計方向に回すと、突条部１１ｂの側部が角度規制壁７ｄに突き当たり、突起１１ｃが係止ストッパー７ｂの規制突起７ｃによって抜けることがないようにしている。
【００２４】
他方、入力側筐体２の軸挿入部８は、図６に示すように、外観上、ヒンジピン１１の頭部１１ａと同程度の径を有する大きさの円柱状に形成されている。この軸挿入部８は、表示側筐体１の軸挿通部７寄りの一端部に、ヒンジピン１１に装着されている筒状体１２に嵌合する嵌合ボス８ａが突設されると共に、筒状体１２のスリット１２ｃと係合する係合リブ８ｂが内方に向かって突設されている。
【００２５】
嵌合ボス８ａは、図５及び図６に示すように、軸挿入部８内の底部中央に環状凹部８ｃを設けることにより、筒状体１２の内周部に嵌入し得る程度の大きさに形成されている。この嵌合ボス８ａは、ヒンジピン１１の先端部が入力側筐体１の軸挿通部７を介し表示側筐体２の軸挿入部８に挿入されたとき、筒状体１２の先端部と嵌合し、かつ押し出しばね１３の先端部をヒンジピン１１の頭部１１ａ側に押圧するようになっている。
【００２６】
係合リブ８ｂは、軸挿入部８の環状凹部８ｃの周側部に内方に向かって若干突設されており、ヒンジピン１１の先端部が表示側筐体２の軸挿入部８に挿入されたとき、筒状体１２のスリット１２ｃと係合することにより、表示側筐体１と筒状体１２とが一体的に回転するようになっている。
【００２７】
本実施形態のヒンジ機構１０は、上記の如く構成されているので、次に携帯電話を組み付ける場合について説明する。
まず予め、表示側筐体１，入力側筐体２，及びヒンジピン１１，押し出しばね１３，筒状体１２をそれぞれ用意し、図１及び図３に示すように、表示側筐体１の軸挿通部７と円柱部７′との間に入力側筐体２の軸挿入部８を配置しておく一方、図２及び図３に示すように、ヒンジ機構１０のヒンジピン１１内に押し出しばね１３を入れると共に、そのヒンジピン１１の先端部に爪１１ｄと係合爪１２ａとの係合によって筒状体１２を装着しておく。
【００２８】
この場合、ヒンジピン１１の先端部に筒状体１２を装着すると、筒状体１２のばね引掛部１２ｂとヒンジピン１１の頭部１１ａとの間に押し出しばね１３が縮設されることとなる。また、ヒンジピン１１に筒状体１２を装着したとき、ヒンジピン１１の突条部１１ｂと筒状体１２のスリット１２ｃとの角度位置を、軸挿通部７の挿通孔７ａと軸挿入部８の係合リブ８ｂとの角度に対応させておく。
【００２９】
このような状態にあるとき、筒状体１２付きのヒンジピン１１の突条部１１ｂと、表示側筐体１の軸挿通部７の挿通孔７ａとの位置を一致させ、このままの位置状態でヒンジピン１１を、その先端側から軸挿通部７の挿通孔７ａ及び入力側筐体２の軸挿入部８内に挿入する。
【００３０】
そして、ヒンジピン１１の先端部に装着されている筒状体１２が軸挿通部７の挿通孔７ａを通った後、筒状体１２の先端部に入力側筐体２の軸挿入部８内の嵌合ボス８ａが嵌合すると、図６（ａ）に示すように、嵌合ボス８ａが押し出しばね１３の端部を圧接することにより、押し出しばね１３がヒンジピン１１内で頭部１１ａ側にさらに付勢された状態となる。
【００３１】
また、筒状体１２に嵌合ボス８ａが嵌合した時点で、ヒンジピン１１を図５に示す矢印の如く時計方向に回し、ヒンジピン１１の突条部１１ｂが挿通孔７ａ内で係止ストッパー７ｂの角度規制壁７ｄに突き当てる。
【００３２】
これにより、突条部１１ｂの突起１１ｃが図６（ｂ）に示すように、挿通孔７ａ内で係止ストッパー７ｂの規制突起７ｃに係止されるので、ヒンジピン１１は、入力側筐体２の軸挿入部８及び表示側筐体１の軸挿通部７から抜けることがなくなり、入力側筐体２及び表示側筐体１の双方をヒンジ機構１０によって互いに閉じたり開いたりすることができるように取り付けることができる。
【００３３】
一方、表示側筐体１及び入力側筐体２からヒンジピン１１を取り外す場合には、ヒンジピン１１を押し出しばね１３のばね力に抗し、表示側筐体１及び入力側筐体２側に一旦押し込むと共に、その押し込んだ状態で図５に示す矢印と反対方向に徐々に回転させる。この回転時、ヒンジピン１１の突条部１１ｂの突起１１ｃが挿通孔７ａ内で係止ストッパー７ｂの規制突起７ｃに沿って次第に周方向に移動するが、規制突起７ｃからはずれた位置に到達した時点で、ヒンジピン１１の押し込みを解除すると、押し出しばね１３が嵌合ボス８ａによってヒンジピン１１の頭部１１ａ側に付勢されているので、押し出しばね１３のばね力によりヒンジピン１１が入力側筐体２の軸挿入部８及び表示側筐体１の軸挿通部７から外部に飛び出ることとなる。そして、飛び出たヒンジピン１１を取り出すことにより、表示側筐体１と入力側筐体２とを分離することができる。
【００３４】
本実施形態によれば、筒状体１２を装着しているヒンジピン１１を、表示側筐体１の軸挿通部７から入力側筐体２の軸挿入部８に挿入し、かつヒンジピン１１を取り付け方向に回転させ、突条部１１ｂの突起１１ｃが係止ストッパー７ｂの規制突起７ｃに係止されることにより、ヒンジピン１１が入力側筐体２と表示側筐体１とを互いに開閉できるように連結するので、ヒンジピン１１を表示側筐体１と入力側筐体２とに簡単かつ確実に取り付けることができる。
また、ヒンジピン１１を、突条部１１ｂの突起１１ｃと規制突起７ｃとの係合が解除する位置まで逆方向に回転させると、ヒンジピン１１を入力側筐体２の軸挿入部８及び表示側筐体１の軸挿通部７から抜き取ることができるようにしたので、表示側筐体１及び入力側筐体２からのヒンジピン１１の抜き取りを容易に行うことができる。
そのため、従来技術に比較すると、取り外したときにヒンジピンが破損することがなくなるので、ヒンジ機構１０としての分解性が良く、リサイクルの面で有利となる。
【００３５】
そして、上記ヒンジ機構１０によれば、以下の効果もある。
即ち、ヒンジピン１１の先端部に装着されている筒状体１２の外周部には、入力側筐体２の軸挿入部８内に突設された係合リブ８ｂと係合するスリット１２ｃが設けられているので、ヒンジピン１１を軸挿通部７及び軸挿入部８内に取り付けたとき、筒状体１２のスリット１２ｃに軸挿入部８の係合リブ８ｂが確実に係合する。そのため、例えば表示側筐体１と入力側筐体２との何れか一方を開閉動作させると、軸挿通部７と軸挿入部８とが互いに反対方向に回転する結果、他方も必然的に開閉動作するので、表示側筐体１と入力側筐体２との開閉を的確に行うことができ、開閉操作が良好となる。
【００３６】
また、軸挿通部７内に設けられた係止ストッパー７ｂは、突起１１ｃを軸挿通部７内で係止する規制突起７ｃと、ヒンジピン１１の外周面まで張り出す角度規制壁７ｄとを有しているので、ヒンジピン１１を回したとき、突条部１１ｂが角度規制壁７ｄに当たった時点で、突条部１１ｂの突起１１ｃが規制突起７ｃに係止されることとなり、したがって、挿入しかつ回転させるだけでヒンジピン１１を表示側筐体１と入力側筐体２とに確実に取り付けることができると共に、双方の筐体１，２を互いに組み付けることができる。
【００３７】
さらに、ヒンジピン１１と筒状体１２との間に押し出しばね１３を縮設する一方、軸挿入部８内に押し出しばね１３を表示側筐体１の外方に押圧させる嵌合ボス８ａが形成されているので、ヒンジピン１１を軸挿通部７から軸挿入部８に取り付けたとき、嵌合ボス８ａによって押し出しばね１３が押圧され、表示側筐体１の外方側に付勢されることとなる。そのため、ヒンジピン１１を取り外し方向に回転させ、突起１１ｃが係止ストッパー７ｂから外れると、ヒンジピン１１が表示側筐体１から飛び出すので、ヒンジピン１１の抜き取りを簡単かつ確実に行うことができ、ヒンジピン１１の抜き取り作業をいっそう単純化することができる。
【００３８】
またさらに、ヒンジ機構１０は、表示側筐体１に形成された軸挿通部７と、入力側筐体２に形成された軸挿入部８と、これを連結するヒンジピン１１とを有し、しかもヒンジピン１１が筒状体１２と、押し出しばね１３とで構成されているので、各部品を容易に分解しかつ組み付けることができるばかりでなく、使用部品点数の削減を図ることもできる。
【００３９】
図７は本発明によるヒンジ機構１０の他の実施形態を示している。
この場合は、ヒンジピン１１の先端面に設けられた爪１１ｄの先端部に凹部１１ｅが形成される一方、筒状体１２に設けられた係合爪１２ａの凹部１１ｅと対応する位置に凸部１２ｄが形成されている。
そして、ヒンジピン１１によって表示側筐体１と入力側筐体２とを組み付けた後、両者を次第に開いたとき、爪１１ｄと係合爪１２ａが互いに摺接しながら反対方向に回転するが、その際、爪１１ｄの凹部１１ｅに係合爪１２ａの凸部１２ｄが嵌合することにより、表示側筐体１と入力側筐体２との開状態を固定させておくことができる。
【００４０】
したがって、係合爪１２ａの凸部１２ｄが爪１１ｄの凹部１１ｅに嵌合することによって表示側筐体１１と入力側筐体２との開状態を固定させておくことができるので、開いたときに自重等で閉じてしまうのを防止することができ、使い勝手が良好となる。
また、このような凹部１１ｅは爪１１ｄに対し周方向に沿って複数設けておくと、それら各凹部１１ｅに凸部１２ｄが順次断続的に係合することにより、表示側筐体１と入力側筐体２との間でクリック音を発生させながら開閉させることも可能となる。
なお、この実施形態では、凸部１２ｄが係合爪１２ａに、かつ凹部１１ｅが爪１１ｄに設けられた例を示したが、それらを逆に設けてもよいのは勿論である。
【００４１】
図８は本発明によるヒンジ機構１０のさらに他の実施形態を示している。
これまで述べた実施形態においては、ヒンジピン１１の頭部１１ａを表示側筐体１に押し込むことにより取り付けるようにした例を示した。しかしながら、ヒンジピン１１の頭部１１ａが極端に小さいものであって、作業員が指で押し込むことが困難となる場合がある。
【００４２】
本実施形態においては、上記事情に対処するためのものである。即ち、図８（ａ）に示すように、ヒンジピン１１の頭部１１ａの表面に、例えば工具としてマイナスのドライバーを差し込むためのドライバー用溝９ａが設けられ、このドライバー用溝９ａにドライバーを差し込んで回転させることにより、表示側筐体１及び入力側筐体２に対しヒンジピン１１を取り付け，取り外しできるようになっている。
【００４３】
図８（ｂ）では、ヒンジピン１１の頭部１１ａの外周部につまみ工具用溝９ｂが設けられ、該溝９ｂに例えばピンセットの先端部を折り曲げたような形状のつまみ工具９ｂを差し込んで回すことにより、ヒンジピン１１の取り付け，取り外しを行えるようになっている。この場合、ヒンジピン１１の頭部１１ａが軸挿通部７の挿通孔７ａ内に完全に入っていると、ヒンジピン１１を取り出しにくいので、頭部１１ａは挿通孔７ａの外側に突出しているのが好ましい。
【００４４】
このように、ヒンジピン１１の頭部１１ａにドライバー用溝９ａやつまみ工具用溝９ｂを設けると、作業員が作業しにくいような大きさの頭部１１ａであっても、ヒンジピン１１を的確に回転させ、取り付け，取り外しを的確に行うことができるばかりでなく、頭部１１ａの外観デザインが制約を受けるというおそれもない。なお、図８では、ヒンジピン１１に設けられている突条部１１ｂが省略されている。
【００４５】
なお、図示実施形態においては、ヒンジ機構１０を携帯電話に適用した例を示したが、これに限らず、要は、一方の本体と他方の本体とが互いに開閉する他の開閉装置に利用しても、同様の作用効果を得ることができる。また、ヒンジピン１１には突起１１ｃを有する突条部１１ｂが二個設けられ、表示側筐体１の軸挿通部７に係止ストッパー７ｂが二個設けられた例を示したが、これらは一個形成しただけでも同様の作用効果を得ることができる。
【００４６】
【発明の効果】
以上述べたように、本発明によれば、一方の本体に形成された軸挿通部及び他方の本体に形成された軸挿入部に対し、ヒンジピンを挿入して回転することにより、ヒンジピンの取り付け，取り外しを行え、取り外したときにヒンジピンが破損することがないように構成したので、ヒンジ機構としての分解性が良く、リサイクルの面で有利となる効果がある。
【図面の簡単な説明】
【図１】  本発明によるヒンジ機構を適用した携帯電話を示す分解斜視図である。
【図２】  同じくヒンジ機構のヒンジピンを示す拡大斜視図である。
【図３】  携帯電話における表示側筐体の軸挿通部を示す斜視図である。
【図４】  ヒンジピンを示す図１のＡ−Ａ線に相当する断面図である。
【図５】  携帯電話において軸挿通部及び軸挿入部を示す図３のＢ矢視に相当する説明用拡大図である。
【図６】  本発明によるヒンジ機構の要部を示し、（ａ）は図５のＣ−Ｃ線断面図、（ｂ）は図５のＤ−Ｄ線断面図、（ｃ）は図５のＥ−Ｅ線断面図である。
【図７】  本発明によるヒンジ機構の他の実施形態を示す要部の断面説明図である。
【図８】  本発明によるヒンジ機構のさらに他の実施形態を示し、（ａ）はドライバー用溝を設けたヒンジピンの斜視図、（ｂ）はつまみ工具用溝を設けたヒンジピンの斜視図である。
【符号の説明】
１  表示側筐体
２  入力側筐体
３  表示部
４  表示窓
５  釦キー
６  キー窓
７  表示側筐体の軸挿通部
７’  円柱部
７ａ  挿通孔
７ｂ  係止ストッパー
７ｃ  規制突起
７ｄ  角度規制壁
８  入力側筐体の軸挿入部
８ａ  嵌合ボス
８ｂ  係合リブ
８ｃ  環状凹部
９ａ  ドライバー用溝
９ｂ  つまみ工具用溝
１０  ヒンジ機構
１１  ヒンジピン
１１ａ  頭部
１１ｂ  突条部
１１ｃ  突起
１１ｄ  爪
１１ｅ  凹部
１２  筒状体
１２ａ  係合爪
１２ｂ  ばね引掛部
１２ｃ  スリット
１２ｄ  凸部
１３  押し出しばね
【図１】
0003678649.tif 000002
【図２】
0003678649.tif 000003
【図３】
0003678649.tif 000004
【図４】
0003678649.tif 000005
【図５】
0003678649.tif 000006
【図６】
0003678649.tif 000007
【図７】
0003678649.tif 000008
【図８】
0003678649.tif 000009